(57)【要約】      （修正有）【課題】初めて接したユーザーに対しても、インターネット広告から抽出されたキーワードを充分認識させられるようにすることができる通信端末装置を提供する。【解決手段】表示画面５１に表示されたバナー広告又はテキスト広告の少なくとも一方であるインターネット広告７をユーザーが選択することによりインターネット広告７に関連付けされたキーワードを抽出する抽出手段と、キーワードを入力可能な検索窓を有する検索用画面を表示画面５１に表示する検索用画面表示手段と、キーワードを検索窓に入力する入力手段と、前記入力手段により検索窓に入力されたキーワードをその大きさより大きく検索窓を越えて表示する拡大表示手段とを備えることを特徴とする。【選択図】図２
2015052971.tif 000002
【特許請求の範囲】
【請求項１】
表示画面に表示されたバナー広告又はテキスト広告の少なくとも一方であるインターネット広告をユーザーが選択することにより前記インターネット広告に関連付けされたキーワードを抽出する抽出手段と、
前記キーワードを入力可能な検索窓を有する検索用画面を前記表示画面に表示する検索用画面表示手段と、
前記キーワードを前記検索窓に入力する入力手段と、
前記入力手段により前記検索窓に入力された前記キーワードをその大きさより大きく前記検索窓を越えて表示する拡大表示手段とを備えることを特徴とするインターネット広告検索支援装置。
【請求項２】
前記抽出手段により抽出されたキーワードにより、コンピュータネットワークを介して検索を実行させる検索実行手段を備えた請求項１に記載のインターネット広告検索支援装置。
【請求項３】
前記インターネット広告を選択している時間の長さによって、前記検索用画面表示手段と、前記キーワードを前記表示画面に表示するキーワード表示手段とのいずれかを実行する制御手段と、
前記キーワード表示手段が実行されると、前記表示画面又は無線により通信可能である他の通信端末装置の表示画面に前記検索実行手段による検索結果を表示する検索結果表示手段とを備えた請求項２に記載のインターネット広告検索支援装置。
【請求項４】
前記拡大表示手段において、拡大されたキーワードが前記表示画面の中を移動することを特徴とする請求項１に記載のインターネット広告検索支援装置。
【請求項５】
前記拡大表示手段において前記キーワードが表示されているときに、前記キーワードの音声を再生する音声出力手段を備えた請求項１又は請求項２に記載のインターネット広告検索支援装置。
【発明の詳細な説明】
【技術分野】
【０００１】
本発明は、インターネット広告に関連付けされたキーワードについての検索を支援する通信端末装置に関する。
【背景技術】
【０００２】
従来、インターネット上のウェブサイトには、種々のウェブサイトに記載された情報を検索するための機能を有するものがあり、日本ではｇｏｏｇｌｅ（登録商標）やｙａｈｏｏ！（登録商標）ＪＡＰＡＮが広く知られている。このような検索機能を有する検索サイトには、検索ボックス、または検索窓と呼ばれるテキスト文字を入力する欄に検索したい検索キーワードを入力して、その検索キーワードを含むウェブサイトを検索することができる検索エンジンを有している。この検索エンジンとしては、事前にワールドワイドウェブ上に存在する多くの情報をもとに自動的に作成されたデータベースに基づいて検索を行いその結果を順位付けにより表示するロボット型検索エンジン、人手により作成されたウェブサイトのカテゴリーに基づいてそのウェブディレクトリ内を検索するディレクトリ型検索エンジン、ロボット型検索エンジン及びディレクトリ型検索エンジンを組み合わせた検索エンジンなどが知られている。
【０００３】
インターネットの普及により、独自にウェブサイトを有する企業等も激増し、検索エンジンの高機能化も伴い、ウェブサイトは企業等の広告媒体として非常に有用なものとなっている。
【０００４】
このようなウェブサイトの商業的利用の増加によって、特定の商品の購入や特定のサービスの利用をしたいユーザーは、これらの商品やサービスに関連する検索キーワードを用いて検索サイトを使用した検索した結果、ウェブサイトの情報が検索エンジンで定められた順番に従って有用性が高い順から複数閲覧することができる。ある企業のウェブサイトがこれらの検索結果の上位に表示されると、検索結果に表示されたハイパーリンクを辿ってその企業のウェブサイトをユーザーに閲覧してもらえる可能性が高くなり、その結果として商品の購入やサービスの利用という売り上げに寄与していることが知られている。
【０００５】
このように検索エンジンは、何かを探している、又は、困っている人が関連のあるウェブサイトを知りそのウェブサイトへ訪問するための橋渡しをするものである。そのため、いかに検索結果の上位に表示させることができるかという課題は企業等にとって非常に重要であり、ＳＥＯ（Ｓｅａｒｃｈ  Ｅｎｇｉｎｅ  Ｏｐｔｉｍａｉｚａｔｉｏｎ；検索エンジン最適化）、あるいは、ＳＥＭ（Ｓｅａｒｃｈ  Ｅｎｇｉｎｅ  Ｍａｒｋｅｔｉｎｇ；検索エンジンマーケティング）などのようなマーケティング手法が注目されている。
【０００６】
しかし、どのようなキーワードで検索すれば所望する検索結果が得られるのかが分からない場合も多い。例えば、ユーザーがインターネット上のブログ記事や他のウェブサイトで気になったインターネット広告に掲載されている商品の購入やサービスの提供を所望しても、そのウェブサイトには商品やサービスについての情報が乏しくさらにその商品やサービスの分野に関する知識が不足しているため、又は、従来になかった商品やサービスであるため、どのような検索キーワードで検索すれば良いか、若しくは、その商品やサービスを提供している同業他社がどの程度存在するのかなどの商品やサービスに関する情報やその比較についてまでは対応することができていなかった。
【０００７】
このように従来のＳＥＯ、ＳＥＭでは、企業等側の視点から、いかに企業等のウェブサイトを検索サイトにおける検索結果で上位に表示させるようにするかという点が重視されており、ユーザーの視点から、インターネット広告に基づいて商品やサービスの概要は大雑把に把握できるが、そのような非常に曖昧な状態で所望の結果を表示させる検索方法は充分に確立されていなかった。また、このような検索キーワードそのものが明瞭でない状態にあるユーザーであっても所望の商品やサービスについて検索することができ、さらにその検索結果によって競業する他社がどれほど存在するかが分かれば価格帯なども調べることができるので、ひいては潜在的な需要者を掘り起こすことができる点で従来にないＳＥＯ、ＳＥＭとなり、企業等の法人にとって有用な手段となりうる。
【０００８】
さらには、近年では据え置き型のパーソナルコンピュータなどの通信端末装置だけではなく、スマートフォン、タブレット、携帯電話、ＰＨＳなどの可搬型の通信機能を備えた端末などが広く普及しているが、その可搬型通信端末装置における限られた画面サイズでもユーザーが検索しやすく、また、視認しやすいようにすることは企業だけでなくユーザーにとっても望まれている。
【０００９】
例えば、特許文献１においては、ユーザーがバナー広告などのインターネット広告を選択すると、そのインターネット広告に関連付けされた語句を抽出し、検索用画面を表示し、その抽出した語句をそのインターネット広告から移動させてその検索用画面の検索窓に入力する動きを表示して入力するする情報通信機器に関する発明について開示されている。
【先行技術文献】
【特許文献】
【００１０】
【特許文献１】特許第５０６７５９１号公報
【発明の概要】
【発明が解決しようとする課題】
【００１１】
上述した特許文献１に記載の発明では、インターネット広告に関連付けされた語句がそのインターネット広告から抜け出して検索用画面の検索窓に入るような視覚的効果をユーザーに与えて、それら語句をユーザーに対して負担を掛けずに印象付けるようにしている。しかしながら、そのような表示のさせ方に馴染みのないユーザーに対して、インターネット広告を選択するという動作を行っただけに過ぎないにもかかわらず、抽出された語句が視覚的にインターネット広告から移動することが唐突な印象を与えユーザーフレンドリーな補助機能と認識させにくい可能性があり、さらにはウイルスソフトによる誤動作かの印象を与えかねない可能性がある。そのため、ユーザーが疑心暗鬼にかられるためにその抽出された語句を充分認識する前に、検索窓にその語句が表示されているという状態が生じるおそれがあった。
【００１２】
そこで、本発明では、初めて接したユーザーに対しても、インターネット広告から抽出されたキーワードを充分認識させられるようにすることができ、さらに、スマートフォン、タブレット、携帯電話、ＰＨＳなどの画面サイズの小さな可搬型の通信機能を備えた端末などであってもインターネット広告から抽出されたキーワードを充分認識させるようにすることができる装置を提供することを目的とする。
【課題を解決するための手段】
【００１３】
〔１〕すなわち、本発明は、表示画面に表示されたバナー広告又はテキスト広告の少なくとも一方であるインターネット広告をユーザーが選択することにより前記インターネット広告に関連付けされたキーワードを抽出する抽出手段と、前記キーワードを入力可能な検索窓を有する検索用画面を前記表示画面に表示する検索用画面表示手段と、前記キーワードを前記検索窓に入力する入力手段と、前記入力手段により前記検索窓に入力された前記キーワードをその大きさより大きく前記検索窓を越えて表示する拡大表示手段とを備えることを特徴とするインターネット広告検索支援装置である。
【００１４】
〔２〕そして、前記抽出手段により抽出されたキーワードにより、コンピュータネットワークを介して検索を実行させる検索実行手段を備えた前記〔１〕に記載のインターネット広告検索支援装置である。
【００１５】
〔３〕そして、前記インターネット広告を選択している時間の長さによって、前記検索用画面表示手段と、前記キーワードを前記表示画面に表示するキーワード表示手段とのいずれかを実行する制御手段と、前記キーワード表示手段が実行されると、前記表示画面又は無線により通信可能である他の通信端末装置の表示画面に前記検索実行手段による検索結果を表示する検索結果表示手段とを備えた前記〔２〕に記載のインターネット広告検索支援装置である。
【００１６】
〔４〕そして、前記拡大表示手段において、拡大されたキーワードが前記表示画面の中を移動することを特徴とする前記〔１〕に記載のインターネット広告検索支援装置である。
【００１７】
〔５〕そして、前記拡大表示手段において前記キーワードが表示されているときに、前記キーワードの音声を再生する音声出力手段を備えた前記〔１〕又は前記〔２〕に記載のインターネット広告検索支援装置である。
【発明の効果】
【００１８】
本発明によれば、インターネット広告に関連付けされたキーワードを検索窓に入力してからそのキーワードを拡大して表示させるため、初めて接したユーザーであっても、インターネット広告から抽出されたキーワードを充分認識させるようにすることができ、さらに、スマートフォン、タブレット、携帯電話、ＰＨＳなどの画面サイズの小さな可搬型の通信機能を備えた端末などであってもインターネット広告から抽出されたキーワードを充分認識させるようにすることができる。
【図面の簡単な説明】
【００１９】
【図１】コンピュータネットワークに接続された各種情報通信機器を示す概略図である。
【図２】本発明におけるインターネット広告が表示されている状態を示す図である。
【図３】本発明における検索窓に抽出されたキーワードが入力された検索用画面が表示されている状態を示す図である。
【図４】本発明の第一実施形態における検索窓に抽出されたキーワードより大きく表示された状態を示す図である。
【図５】本発明の第二実施形態におけるキーワード表示手段によりキーワードが表示画面に表示されている状態を示す図である。
【図６】本発明における検索窓に抽出されたキーワードより大きく表示された他の態様を示す図である。
【図７】本発明における検索窓に抽出されたキーワードより大きく表示されたさらに他の態様を示す図である。
【図８】本発明の各手段の流れの概略を示すフロー図である。
【図９】本発明の他の手段を含めた各手段の流れの概略を示すフロー図である。
【発明を実施するための形態】
【００２０】
以下、本発明に係るインターネット広告検索支援装置に関する実施形態について詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００２１】
図１は、本発明における各種インターネット広告検索支援装置が、インターネット網６に接続され、そのインターネット網６に検索エンジンを格納している検索エンジン搭載サーバー１が接続されている概念図である。インターネット広告検索支援装置としては、デスクトップパソコン２、そして、ノートパソコン３、携帯電話４、スマートフォンと呼ばれる多機能携帯電話５、数インチから数十インチまでの表示画面を有する図示しないタブレットやＰＤＡなどと称される携帯情報端末など可搬型の通信端末装置、さらには図示しない通信機能を有するテレビなど各種通信端末装置を用いることができ、それぞれ有線通信やＷｉ−Ｆｉ（登録商標）、ＢＬＵＥＴＯＯＴＨ（登録商標）、ＺＩＧＢＥＥ（登録商標）、ＬＴＥ、ＩｒＤＲ〔赤外線〕等の無線通信などによりコンピュータネットワークに接続しデータの送受信を行う機能を備え、ウェブサイトを閲覧することができるものである。このうち、ノートパソコン３、携帯電話４、多機能携帯電話５、携帯情報端末、時計型情報端末、眼鏡型情報端末、ペンダント型情報端末などの可搬型の通信端末装置であることが好ましい。また、検索を実行するには、コンピュータネットワークに接続されている外部のサーバー等に搭載された検索エンジンを使用することができる。
【００２２】
インターネット上において提供されている各種検索エンジンのうち、例えば、グーグル社の検索エンジンは、ロボット型検索エンジンであり、あらかじめ種々のウェブサイト情報、すなわち、ウェブサイトのタイトル、記事タイトルのキーワード、ＵＲＬ、更新日時、リンクなどの情報を収集したデータベースを有している。そして、ユーザーが入力した検索キーワードを元にデータベースを参照し、関連度が高いと認識されるページを探し、それらのウェブサイトのページの内容について、キーワード、リンク、更新日時、他のユーザーの動向などから検索エンジンによって順位付けが行われ、上位に位置づけられたウェブサイトのページの概略を検索結果として表示する。本発明のインターネット広告検索支援プログラムは、グーグル社の検索エンジンだけでなく、ヤフー社、アマゾン社、楽天社、Ｂａｉｄｕ社（百度公司）など、日本国内外を問わず種々検索エンジンを選択することができる。
【００２３】
本発明で用いるインターネット広告とは、種々の通信端末装置における表示画面の所定領域に表示される四角形、楕円形状などの画像情報を有するバナー広告や、各種フォント、各種フォントサイズのテキスト文字で表わされたテキスト広告などであるが、ユーザーがマウスのカーソルを合わせてクリックする、マウスのカーソルを合わせる、指でタップする、指を当てる、指でこする、視線を合わせるなどの行為により前記インターネット広告を選択することで、直接広告主のサイトに導かれるものではなく、表示画面の所定の位置に検索用画面を表示する機能を備えている。また、本発明で用いるインターネット広告は、ホームページ上に表示されるものだけでなく、ゲームなど他のアプリケーションソフトウエア上で動作するアプリ広告であっても良い。なお、このインターネット広告のうちバナー広告は、通常は絵、写真などの画像情報であり、静止画でなく動画であっても良い。このインターネット広告が表示画面に表示される位置は、表示画面に表示される企業や個人のホームページやブログ、ＳＮＳ（ソーシャルネットワーキングサービス）、ウェブメールのページ、そして、ゲームアプリケーション、メールソフトを起動したときに表示された所定の位置、さらにはデスクトップ上の任意の位置などが好ましい。
【００２４】
具体的に、本発明のインターネット広告検索支援装置は、表示画面に表示されているバナー広告、テキスト広告などのインターネット広告をマウスのカーソルを合わせてクリックする、マウスのカーソルを合わせる、指でタップする、指を当てる、指でこする、視線を合わせるなどの方法によりそれらインターネット広告を選択したとき、それらインターネット広告に関連付けされたキーワードを抽出する手段を有しており、実行する。これらインターネット広告に関連付けされたキーワードは、例えば、ウェブサイト上の画像の場合、ＨＴＭＬ言語などで使用されるタグの属性として記載することができる。具体的には、このテキスト文字は、ウェブサイト上等のバナー広告に表わされている商品やサービスと関連性のあるものであって、その商品の品名、型番、製造販売業者名、商品カテゴリー群の名称、業界における専門用語・慣用名、地方ごとに相違する呼び名や、そのサービスの名称、提供業者などから選ばれるひとつ又は複数のキーワードである。そして、この抽出したキーワードをＲＡＭ、ＲＯＭなどの記憶手段に保存する。
【００２５】
また、前記インターネット広告に関連付けされたキーワードは、前記インターネット広告に直接関連付けされたものでなく間接的に関連付けされたものでも良い。例えば、前記インターネット広告には、その広告主のシリアル番号などの英数字などで関連付けておき、本発明のインターネット広告検索支援装置が繋がるインターネット網６と接続された他のサーバーにそのシリアル番号を送り、他のサーバーに格納されているそのシリアル番号と対応する商品名などを抽出する手段を実行するようにすることもできる。このように前記インターネット広告に間接的に関連付けすることにより、正規な登録を行っている広告主のバナー広告であるかについて認証手続を行うことができ、さらには、種々のウェブサイトやメールソフトでのメールの内容に表示されているインターネット広告に関連付けされたキーワードを一括して変更、追加などの管理をすることができる。
【００２６】
そして、次に、本発明のインターネット広告検索支援装置は、インターネット広告がウェブサイト、アプリケーションソフトウエアなどに表示されている場合、新たなウィンドウを開き、初期設定の検索エンジン又は任意に選択された検索エンジンを使用できるウェブサイト、アプリケーションソフトウエアなど検索窓を有する検索用画面を表示する手段を実行することができる。なお、すでにウェブサイト閲覧ソフトなどが起動している場合、新たにウィンドウを開かなくともすでに開いているウェブサイトなどを更新して検索エンジンを使用できるウェブサイト、アプリケーションソフトウエアなど検索窓を有する検索用画面を表示してもよい。さらには、すでに開いているウェブサイト、アプリケーションソフトウエアの一部に表示されているインターネット広告を消去し、そのインターネット広告が位置した場所に検索窓を有する検索用画面を表示してもよい。このインターネット広告が検索用画面に切り替わるような表示のさせ方は、表示画面が比較的小さい可搬型の通信端末装置において好ましい。また、インターネット広告がウェブサイトに表示されていない場合には、新たなウィンドウを開き、初期設定の検索エンジン又は任意に選択された検索エンジンを使用できるウェブサイトなど検索窓を有する検索用画面を表示する手段を実行することができる。
【００２７】
そして、本発明のインターネット広告検索支援装置は、インターネット広告より抽出したキーワードを検索用画面の検索窓にテキストとして入力する手段を備え、ユーザーにそのキーワードを視認させることができる。検索窓に種々の語句を入力して検索することが広く知られているため、このように抽出したキーワードをまず検索用画面の検索窓にテキストとして入力することにより、ユーザーに対して唐突な印象などを与えることなく、その抽出されたキーワードで検索が可能であることを示すことができる。
【００２８】
そして、本発明のインターネット広告検索支援装置は、検索窓に入力されたキーワードを、その入力されたキーワードのフォントサイズよりも大きなサイズに拡大して検索窓を越えて表示する手段を備える。一度、検索窓に入力されたキーワードが拡大されて表示されることにより、ユーザーはそのキーワードを視認しやすくなる。また、企業等からしても、ユーザーの注意を惹きつけることができるので、そのキーワードをユーザーの記憶に残し易くなる。その入力されたキーワードの拡大の方法として、検索窓から吹き出しを設けてその中にキーワードを表示することができる。これによりユーザーに対して検索窓の入力されているキーワードとの関連性を認識させ易くすることができる。また、検索窓に入力されたキーワードは、検索窓の大きさよりも大きく表示画面の横幅よりも小さい範囲で拡大されていることが好ましい。この範囲にあると、ユーザーがそのキーワードを視認し易く、キーワードの全てを見渡せることができる。さらに、検索窓の入力されているキーワードが複数である場合には、それらキーワードを一列に表示させ、キーワードごとに別個に拡大して表示することができる。そしてまた、抽出されたキーワードの音声データを、検索窓に入力されたキーワードが拡大表示されているときに、その音声データをインターネット広告検索支援装置に内蔵しているスピーカーなどから再生して、ユーザーに聞かせても良い。音声データを再生するタイミングとしては、キーワードが拡大表示されると同時であっても良いし、０．１秒から１秒など少し遅れても良い。これにより、ユーザーの視覚だけでなく聴覚に対しても働きかけることができるので、ユーザーに対してより強い印象を与えることができる。
【００２９】
なお、この拡大表示手段は、Ｆｌｅｘ、Ｆｌａｓｈ（登録商標）、ＡｃｔｉｏｎＳｃｒｉｐｔ、ＨＴＭＬ、ＸＨＴＭＬ、ＣＳＳ、Ｊａｖａｓｃｒｉｐｔ（登録商標）などのウェブアプリケーションについての開発技術を活用して、オペレーションシステムのデスクトップ上のアプリケーションとして実行されることが好ましい。このような実行環境としては、例えば、Ａｄｏｂｅ社のＡｄｏｂｅ（登録商標）  ＡＩＲなどが、Ｗｉｎｄｏｗｓ（登録商標）、Ｌｉｎｕｘ（登録商標）、ＡＮＤＲＯＩＤ（登録商標）、ＭａｃＯＳなどオペレーションシステムの種類を選ばないために好ましい。
【００３０】
さらに、本発明のインターネット広告検索支援装置において、検索窓に入力された大きさより拡大表示されたキーワードが、インターネット広告検索支援装置の表示画面の中を移動する手段を備えることができる。
【００３１】
例えば、本発明のインターネット広告検索支援装置において、ユーザーがインターネット広告であるバナー広告に指を当てる、指でこする、視線を合わせることにより、バナー広告に関連付けされたキーワードを抽出し、そのキーワードを表示された検索用画面の検索窓に入力した後に、そのキーワードを画像ファイルに変換してその画像を表示画面の上から左右に揺らしながら下に向かって落ちる軌跡を伴って表示画面の中を移動させることができる。さらには、そのキーワードを画像ファイルに変換するに際して、フォントを変更したり、そのキーワードの背景に他の画像を付加するなどの種々の修飾をしたりすることにより、よりユーザーの印象に残り易くすることもできる。
【００３２】
そして、検索窓に入力されたキーワードが拡大表示されたキーワードの軌跡としては、上述した曲線だけでなく、直線、波線、輪、又は、規則性のない線などが好ましく、また、その移動速度を一定の速度とすることの他に緩急を付けるなど種々設定することができる。そして、その軌跡の始点と終点を任意に設定することができる。また、検索窓に入力されたキーワードを一文字一文字の画像ファイルである拡大表示されたキーワードとして取扱い、表示画面の上から下に向かって落下するように移動させることこができる。さらには、それら一文字ずつの画像ファイルが回転しながら、または、拡大、縮小、伸縮、点滅などを繰り返しながら、前記の種々の軌跡を描きながら移動するよう表示させても良い。このように検索窓に入力されたキーワードを表示すると、ユーザーに対してより強い印象をユーザーに与えることができる。
【００３３】
また、拡大されたキーワードが表示画面の中を移動する例として、バナー広告から抽出されたキーワードを画像ファイルに変換した後に、その抽出されたキーワードの画像を、検索窓の位置において検索窓から徐々に拡大するように表示させた後に収縮して検索窓に消失するように表示させても良い。このように抽出したキーワードを画像に変換して拡大及び縮小して表示することは、表示画面が小さな可搬型の通信端末装置などで有用である。
【００３４】
このように拡大表示手段において表示画面の中を移動させるにより、ユーザーは、バナー広告からそれに関連するキーワードの動きを見ることとなる。そのため、本発明のインターネット広告検索支援装置は、ユーザーがインターネットのブログ記事や他のウェブサイトで気になったバナー広告に掲載されている商品やサービスについて、予備知識を持たなくてもそのバナー広告に関連するキーワードを強くそのユーザーに印象づけることができる。そのため、後日、そのユーザーによって、バナー広告に関連付けられたキーワードで検索して貰える可能性が高くなり、また、そのキーワードを口頭によって伝えられたその他のユーザーによっても検索して貰える可能性が高くなり、検索エンジンにおける検索順位が上位となることから、広告主である企業等にとって有用である。また、使用する検索サイトによっては、検索窓に入力されたキーワードを記憶しておいて、同じキーワードを途中まで入力すると残りを自動的に補う機能であるオートコンプリート機能を有するサイトもあるため、ユーザーが後日改めて検索したときに、かつて検索したキーワードを再現しやすくなり、広告主である企業等にとって有用である。
【００３５】
一方、ユーザーにとっても、バナー広告に表示されている商品又はサービスについて、まず、どのような分野に属するものであるのか、また、他に同じような商品又はサービスが存在するのか否かについて事前に知ることができる。また、予めどのような分野に属するものであるか知っていたいとしても、商品カテゴリー群の名称、業界における専門用語・慣用名、地方ごとに相違する呼び名なども知ることができ、より詳細に検索することができる。また、ユーザーがバナー広告をクリックなどにより選択しても、必ず検索サイトを通じて検索できる状態となるために、非合法、不道徳なサイトに誘導されない安心感を、本発明のインターネット広告検索支援装置は提供することができる。また、その安心感からバナー広告が選択される機会が増えて、広告主である企業等にとって有用である。
【００３６】
さらに、本発明のインターネット広告検索支援装置は、上述した手段に加えて、検索窓に入力されたキーワードによりインターネット網６又はイントラネット網に接続されているサーバーに搭載されている検索エンジンに検索させる処理を行わせる検索実行手段を具備することができる。この検索手段を実行させることにより、検索エンジンは、ウェブサイトの情報を保存するデータベースと照合し、その入力されたキーワードを含むウェブサイトに関する情報を通信端末装置の表示画面に表示させることができる。なお、この検索を実行させる検索実行手段については、あらかじめ検索するように設定されていてもよく、また、ユーザーにより任意に使用するか否かについて選択することができるようにしてもよい。
【００３７】
次に、これらの処理の手順を説明する。図８に示すように、まず、ユーザーが通信端末装置の表示画面に表示されたインターネット広告を選択することにより、一連の処理が開始される（Ｓ１）。ユーザーによりインターネット広告が選択されると、抽出手段によりそのインターネット広告に関連付けされたキーワードが抽出され、その通信端末装置の記録媒体などに記録される（Ｓ２）。そして、検索用画面表示手段により、その表示画面の中に検索窓を有する検索用画面を表示する（Ｓ３）。そして、入力手段により、表示された検索窓に、抽出されたキーワードを入力する（Ｓ４）。そして、拡大表示手段により、検索窓に表示されたキーワードよりも大きなサイズに拡大して、その表示画面に表示する（Ｓ５）。そして、検索実行手段を備えている場合には、その検索実行手段により、インターネット上などを対象とした検索を行う（Ｓ６）。そして、その検索による結果を、その表示画面の中に表示する（Ｓ７）。
【００３８】
さらにまた、本発明のインターネット広告検索支援装置は、上述した手段に加えて、前記抽出手段において、バナー広告などのインターネット広告を選択している時間の長さによって、前記検索用画面表示手段と、前記キーワードを前記表示画面に表示するキーワード表示手段とのいずれかを実行する制御手段とを備えることができる。そして、その制御手段により、前記キーワード表示手段が実行されると、前記表示画面又は無線により通信可能である他の通信端末装置の表示画面に前記検索実行手段による検索結果を表示する検索結果表示手段とを備えることができる。
【００３９】
この制御手段は、例えば、多機能携帯電話５や携帯情報端末において、その表示画面に表示されたインターネット広告に指を短い時間当てた場合には、検索用画面表示手段を実行することとなり、他方、その表示画面に表示されたインターネット広告に指を長い時間当てた場合には、抽出されたキーワードをその多機能携帯電話５や携帯情報端末に表示するキーワード表示手段を実行することとなる二つの実行手段のいずれか一方を選択する制御を行うものである。この制御出段において、検索用画面表示手段を実行するかキーワード表示手段を実行するかの時間の閾値としては、ユーザーが比較的長い時間と感じる０．５秒から３秒であることが好ましい。そして、その所定時間より短い時間インターネット広告を指で叩くような動作するタップなどの方法により選択したときには検索用画面表示手段が実行され、その所定時間より長い時間インターネット広告を一定箇所に指を押し当てる長押しや指でこするように滑らすスライドなどの手段により選択したときにはキーワード表示手段が実行されることが好ましい。
【００４０】
そして、前記制御手段により抽出されたキーワードを多機能携帯電話５、携帯情報端末や腕時計型通信端末装置などの通信端末装置に表示するキーワード表示手段において、上述したようなインターネット広告から吹き出しを設けてその中にそのキーワードを表示したり、それら通信端末装置の表示画面中を移動してそのキーワードを表示したりすることもできる。このキーワード表示手段は、そのキーワードを、その多機能携帯電話５、携帯情報端末や腕時計型通信端末装置などの通信端末装置の表示画面に表示するだけでなく、無線などによる通信が可能でありそれらより表示画面が大きい他の多機能携帯電話、携帯情報端末、テレビ、デスクトップパソコン、ノートパソコンなどにも表示することができる。そして、そのキーワードによりインターネット検索された結果を、それらの多機能携帯電話５、携帯情報端末や腕時計型通信端末装置、テレビ、デスクトップパソコン、ノートパソコンなどの通信端末装置の表示画面に表示することができる。例えば、ユーザーが多機能携帯電話に表示されたインターネット広告を長押しすると、抽出されたキーワードがキーワード表示手段によりその多機能携帯電話の表示画面に表示され、そのキーワードでインターネット検索を行い、近傍に無線ＬＡＮや赤外線などにより通信可能である他の多機能携帯電話、携帯情報端末、テレビなどが存在する場合は、優先してそれらの他の多機能携帯電話、携帯情報端末、テレビの表示画面にその検索結果を表示し、近傍に無線ＬＡＮや赤外線などにより通信可能である他の多機能携帯電話、携帯情報端末、テレビなどが存在しない場合は、その多機能携帯電話の表示画面にその検索結果を表示するように設計することができる。また、ユーザーが多機能携帯電話、腕時計型通信端末装置などに表示されたインターネット広告をスライドすると、抽出されたキーワードがキーワード表示手段により、無線などによる通信が可能で表示画面がより大きい携帯情報端末、テレビなどに優先してそのキーワードを表示し、そして、その携帯情報端末、テレビなどにそのキーワードでインターネット検索を行った検索結果を表示するように設計することもできる。これらの場合に、他の通信端末装置の表示画面が点灯されておらず何も表示されていないとしても、いわゆるスタンバイ状態であれば、Ｗｉ−Ｆｉ（登録商標）やＩｒＤＲ〔赤外線〕等の無線通信により表示画面を点灯させそのキーワード等を表示させるように設計することもできる。
【００４１】
このように、前記制御手段及び前記キーワード表示手段を備えることにより、本発明のインターネット広告に接した経験のあるユーザーであれば、検索用画面表示手段、入力手段、拡大表示手段を省略して検索実行手段を行い、その検索の結果をその使用している通信端末装置又は他の通信端末装置の表示画面に表示することができるので、素早く検索を実行することができ、検索を行うまでの時間を要するというストレスを緩和することができ、他のユーザーとも素早く情報を共有できるとともに、企業等からしてもユーザーにそのキーワードを視認させることができるため有用である。さらに、キーワード表示手段又は検索結果表示手段において、インターネット広告が表示されている通信端末装置よりも大きい表示画面を有する他の通信端末装置に表示することにより、段階的にキーワードを大きく表示させることができるので、抽出されたキーワードやその検索結果を視認しやすくなると共に、さらには他のユーザーと情報を共有し易くなる。具体的には、表示画面の小さな多機能携帯電話を操作して、表示画面の大きいテレビに抽出したキーワードやその検索結果を表示すれば、細かな字を読みにくいお年寄り、視力の低下した人には見やすくなり、さらに家族や友人などの複数人で見やすくなる。
【００４２】
次に、これらの処理の手順を説明する。図９に示すように、まず、ユーザーが通信端末装置の表示画面に表示されたインターネット広告を選択することにより、一連の処理が開始される（Ｓ１）。ユーザーによりインターネット広告が選択されると、抽出手段によりそのインターネット広告に関連付けされたキーワードが抽出され、その通信端末装置の記録媒体などに記録される（Ｓ２）。そして、制御手段により、ユーザーがインターネット広告を選択している時間の長さに応じて、検索用画面表示手段を実行するか、表示画面の中にキーワードを表示するキーワード表示手段を実行するかの判断を行う（Ｓ８）。検索用画面表示手段が実行された場合には、順次検索用画面表示ステップ（Ｓ３）、入力ステップ（Ｓ４）、拡大表示ステップ（Ｓ５）を経て、検索実行手段により検索が実行され（Ｓ６）、その検索による結果を、その表示画面の中に表示する（Ｓ７）。ところが、検索用画面表示手段ではなくキーワード表示手段が実行された場合には、その表示画面の中に、抽出されたキーワードを表示させる（Ｓ９）。そして、検索実行手段により検索が実行され（Ｓ６）、その検索による結果を、その表示画面の中に表示する（Ｓ７）。
【００４３】
そして、本発明のインターネット広告検索支援装置における各手段は、あらかじめ通信端末装置に保存されていてもよいし、必要に応じてインターネットなどコンピュータネットワークを通じて、また、ＵＳＢメモリー、ＣＤ−ＲＯＭなどの記録媒体を介して別途通信端末層に保存することができる。なお、本発明のインターネット広告検索支援装置における各手段は、ＡＳＰ（アプリケーションサービスプロバイダ）が有するインターネット網に接続されたサーバーで実行して、インターネット広告検索支援装置に表示させてもよい。
【００４４】
また、あらかじめバナー広告に関連付けられたキーワードを階層化しておき、上記の検索を最初の階層のキーワードで実行させ、所定時間経過後又はユーザーが再度検索するなどの行為の後に、次の階層のキーワードを追加し、さらに、検索を行うようにしておいても良い。このように構成すると、表示される検索結果により、バナー広告についての商品やサービスについて、最初の階層のキーワードで概略的な知識を、そして、次の階層のキーワードを追加することにより、それらに属する競合メーカー又は全体における順位付けを段階的にユーザーに認識させることができる。
【実施例】
【００４５】
＜実施形態１＞
図２に示すように、インターネット広告検索支援装置である多機能携帯電話５には、その中央に各種の情報を表示する表示画面５１を有しており、その下部にインターネット広告である矩形状のバナー広告７が表示されている。そして、バナー広告７を指でタップすると、バナー広告７に関連付けされたキーワード８が抽出されるとともに、図３に示すように、バナー広告７の位置でバナー広告７が矩形状の検索窓９１を有する検索用画面９に切り替わって表示される。検索用画面９に切り替わって表示されると同時に又は０．０１秒から２秒など少し遅れて検索窓９１の内部に抽出されたキーワード８が入力され、そのキーワードが０．３秒から１．５秒の間表示される。
【００４６】
そして、図４に示すように、検索窓９１の内部に抽出されたキーワード８が入力されると同時に又は０．０１秒から２秒など少し遅れて、検索窓９１の内部に入力されたキーワード８のフォントサイズよりもおおよそ１．５倍の大きさに拡大表示されたキーワード８１が吹き出しの中に入った状態で表示画面５１の中に位置される。そして、ユーザーがこの拡大表示されたキーワード８１を指でタップしたり指で触れたりすると、この拡大表示されたキーワード８１は消滅する。なお、ユーザーがこの拡大表示されたキーワード８１を指でタップしたり指で触れたりしなくとも、この拡大表示されたキーワード８１が表示された１秒から３秒後に自動的に消滅するようにしてもよい。
【００４７】
そして、拡大表示されたキーワード８１が表示されている間に、抽出されたキーワード８によりインターネット上で検索を行って、その検索結果を表示画面５１に表示する。なお、拡大表示されたキーワード８１の表示が消滅してから抽出されたキーワード８により検索を行い、その結果を表示画面５１に表示するようにしてもよい。
【００４８】
＜実施形態２＞
インターネット広告検索支援装置である多機能携帯電話５の表示画面５１に表示されたインターネット広告である矩形状のバナー広告７をおおよそ１秒の時間長押しすると、図５に示すように、バナー広告７より抽出されたキーワード８が吹き出しの中に入った状態で表示画面５１の中に表示される。そして、ユーザーがこのキーワード８を指でタップしたり指で触れたりすると、このキーワード８は消滅する。なお、ユーザーがこのキーワード８を指でタップしたり指で触れたりしなくとも、このキーワード８が表示された１秒から３秒後に自動的に消滅するようにしてもよい。
【００４９】
そして、このキーワード８が表示されている間に、このキーワード８によりインターネット上で検索を行って、その検索結果を表示画面５１に表示する。なお、拡大表示されたキーワード８１の表示が消滅してから抽出されたキーワード８により検索を行い、その結果を表示画面５１に表示するようにしてもよい。
【００５０】
ところで、拡大表示手段において、他の態様を採用することができる。すなわち、実施形態１のように、検索窓９１の内部に抽出されたキーワード８が入力されるところまでは同様であるが、その後の検索窓９１の内部に入力されたキーワード８を拡大表示する方法として表示画面５１の中を移動するという態様を採用することができる。具体的には、図６に示すように、検索窓９１の内部に入力されたキーワード８のフォントサイズよりもおおよそ１．５倍の大きさに拡大表示されたキーワード８１が、表示画面５１の上から左右に揺れながら下まで２秒から４秒ほどかけてひらひらとゆっくり落ちるという軌跡Ｌを伴って表示画面５１の中を移動するという態様を採用することができる。
【００５１】
さらに、図７に示すように、検索窓９１の内部に入力されたキーワード８がおおよそ１．５倍の大きさに拡大表示されたキーワード８１の一文字一文字について、表示画面５１の上から直線状に下に１秒から３秒ほどかけて先頭文字から順に落ちるという軌跡Ｌを伴って表示画面５１の中を移動するという態様を採用することができる。
【符号の説明】
【００５２】
１・・・検索エンジン搭載サーバー
２・・・デスクトップパソコン
３・・・ノートパソコン
４・・・携帯電話
５・・・多機能携帯電話
５１・・表示画面
６・・・インターネット網
７・・・インターネット広告（バナー広告）
８・・・キーワード
８１・・拡大表示されたキーワード
９・・・検索用画面
９１・・検索窓
Ｌ・・・軌跡
【図１】
2015052971.tif 000003
【図２】
2015052971.tif 000004
【図３】
2015052971.tif 000005
【図４】
2015052971.tif 000006
【図５】
2015052971.tif 000007
【図６】
2015052971.tif 000008
【図７】
2015052971.tif 000009
【図８】
2015052971.tif 000010
【図９】
2015052971.tif 000011